(57)【要約】【課題】  マーケティングデータ収集システムを提供することを目的とする。【解決手段】  購入者が利用する入力者端末に対して表示させる，購入動機を含む質問データを記憶する質問データ記憶部と，質問データに対応する回答データを記憶する回答データ記憶部と，入力者端末に対して質問データ記憶部に記憶した質問データを表示し，それに対する回答データを入力者端末から受け付け，回答データ記憶部に記憶させる回答データ収集処理部と，回答データ記憶部に記憶した回答データに基づいて，マーケティング分析の処理を実行する分析処理部と，を有するマーケティングデータ収集システムである。【選択図】  図１
2014049058.tif 000002
【特許請求の範囲】
【請求項１】
商品の購入者の購入動機を収集するマーケティングデータ収集システムであって，
前記マーケティングデータ収集システムは，
前記購入者が利用する入力者端末で表示させる，購入動機を含む質問データを記憶する質問データ記憶部と，
前記質問データに対応する回答データを記憶する回答データ記憶部と，
前記入力者端末に対して前記質問データ記憶部に記憶した質問データを表示させ，それに対する回答データを前記入力者端末から受け付け，前記回答データ記憶部に記憶させる回答データ収集処理部と，
前記回答データ記憶部に記憶した回答データに基づいて，マーケティング分析の処理を実行する分析処理部と，
を有することを特徴とするマーケティングデータ収集システム。
【請求項２】
前記マーケティングデータ収集システムは，さらに，
前記回答データ記憶部に記憶した回答データのチェック結果の入力を受け付ける回答データチェック処理部，を備えており，
前記回答データチェック処理部は，
チェックを行うチェック担当者が利用するチェック担当者端末に対して，前記回答データ記憶部に記憶している回答データのうちチェックされていない回答データを抽出して表示させ，
前記質問データに対する前記回答データのチェック結果の入力を受け付ける，
ことを特徴とする請求項１に記載のマーケティングデータ収集システム。
【請求項３】
前記回答データ記憶部は，さらに，前記回答データに対応するレシートの画像データを記憶しており，
前記回答データ収集処理部は，
前記回答データと前記レシートの画像データとを前記入力者端末から受け付け，前記回答データ記憶部に記憶させ，
前記回答データチェック処理部は，
前記チェック担当者端末に対して，前記回答データに併せて前記レシートの画像データを表示させることで，前記質問データに対する前記回答データの整合性を，前記レシートの画像データを用いて判定させてチェック結果の入力を受け付け，
前記チェック結果を前記回答データに対応づけて前記回答データ記憶部に記憶させる，
ことを特徴とする請求項２に記載のマーケティングデータ収集システム。
【請求項４】
前記分析処理部は，
前記回答データ記憶部に記憶した回答データのうち，前記チェック結果として承認を示す情報が記憶された回答データを抽出し，その回答データに基づいてマーケティング分析の処理を実行する，
ことを特徴とする請求項３に記載のマーケティングデータ収集システム。
【請求項５】
商品の購入者の購入動機を収集するマーケティングデータ収集システムであって，
前記マーケティングデータ収集システムは，
前記購入者が利用する入力者端末で表示させる，購入動機を含む質問データを記憶する質問データ記憶部と，
前記質問データに対応する回答データとレシートの画像データとを記憶する回答データ記憶部と，
前記入力者端末に対して前記質問データ記憶部に記憶した質問データを表示させ，それに対して入力された回答データとレシートの画像データとを前記入力者端末から受け付け，前記回答データ記憶部に記憶させる回答データ収集処理部と，
前記回答データ記憶部に記憶した回答データとレシートの画像データとを，チェックを行うチェック担当者が利用するチェック担当者端末に対して表示させ，前記レシートの画像データと前記質問データに対する前記回答データとの整合性のチェック結果の入力を受け付け，前記回答データ記憶部に記憶させる回答データチェック処理部と，
前記回答データ記憶部に記憶した回答データのうち，前記チェック結果として承認を示す情報が記憶された回答データを抽出し，その回答データに基づいてマーケティング分析の処理を実行する分析処理部と，
を有することを特徴とするマーケティングデータ収集システム。
【請求項６】
商品の購入者の購入動機を収集するマーケティングデータ収集システムであって，
前記マーケティングデータ収集システムは，
前記購入者が利用する入力者端末で表示させる，購入動機を含む質問データを記憶する質問データ記憶部と，
前記質問データに対応する回答データとレシートの画像データとを記憶する回答データ記憶部と，
前記入力者端末に対して前記質問データ記憶部に記憶した質問データを表示させ，それに対して入力された回答データとレシートの画像データとを前記入力者端末から受け付け，前記回答データ記憶部に記憶させる回答データ収集処理部と，
商品名と，レシートにおけるその商品の表示名とを記憶する商品名データ記憶部と，
前記回答データ記憶部に記憶した回答データのチェック処理を行う回答データチェック処理部と，
前記回答データ記憶部に記憶した回答データのうち，チェック結果として承認を示す情報が記憶された回答データを抽出し，その回答データに基づいてマーケティング分析の処理を実行する分析処理部と，を有しており，
前記回答データチェック処理部は，
前記回答データ記憶部に記憶したレシートの画像データに対して文字認識処理を行い，
認識したテキストデータが，レシートにおける商品の表示名と一致するかを前記商品名データ記憶部に基づいて判定し，
一致した表示名についてはその商品名を前記商品名データ記憶部に基づいて判定し，
前記回答データ記憶部に記憶した回答データの商品名と，前記判定した商品名とが一致するかを判定することで，前記回答データの整合性のチェック結果を前記回答データ記憶部に記憶させる，
ことを特徴とするマーケティングデータ収集システム。
【請求項７】
前記回答データチェック処理部は，さらに，
承認ではないチェック結果を前記回答データ記憶部に記憶している回答データについて，その回答データと対応するレシートの画像データとを前記チェック担当者端末に対して表示させ，
前記質問データに対する前記回答データの整合性を，前記レシートの画像データを用いて判定させ，承認または否認のチェック結果の入力を前記チェック担当者端末から受け付け，
前記チェック結果を前記回答データに対応づけて前記回答データ記憶部に記憶させる，
ことを特徴とする請求項６に記載のマーケティングデータ収集システム。
【請求項８】
前記回答データチェック処理部は，さらに，
前記チェック担当者端末から承認のチェック結果の入力を受け付けた場合，前記レシートの画像データに表示されている商品の表示名と，その商品名とを，前記チェック担当者端末から入力を受け付けて，前記商品名データ記憶部に記憶させる，
ことを特徴とする請求項７に記載のマーケティングデータ収集システム。
【発明の詳細な説明】
【技術分野】
【０００１】
本発明は，マーケティングデータ収集システムに関する。より詳細には，商品の購入者から当該商品の購入動機を収集することが可能なマーケティングデータ収集システムに関する。
【背景技術】
【０００２】
商品を販売する際に，どのような商品が売れているのか，誰が購入しているのかといったマーケティングデータは，企業活動にとって極めて重要なデータである。そのため，近年では，ＰＯＳデータを収集することで，各企業はマーケティングデータとして活用している。なお，本明細書において商品とは，有体物のほか，サービスなども含む。
【０００３】
ＰＯＳデータは，店舗での販売実績を収集することができるので，いつ，どの商品が，どれだけ，どこの店舗で販売できたのかを収集することができる点で，極めて有効である。このようなＰＯＳデータを活用した分析システムとして，たとえば下記特許文献１が存在する。
【先行技術文献】
【特許文献】
【０００４】
【特許文献１】特開平７−２８９０２号公報
【発明の概要】
【発明が解決しようとする課題】
【０００５】
近年，数多い競合商品の中で，購入者がどのような理由から自社商品を手に取って購入するに至ったかを把握することで，店頭における購買意欲を刺激するためのマーケティング手法が注目されている。
【０００６】
そのため，各メーカーは，自社商品の購入者に対して，定期的なアンケート調査やフォーカスインタビューなどを行い，購入動機の把握に努めている。しかしその調査頻度は，調査に費用や時間がかかるので，頻度の多い企業でも月一度ぐらいであり，多くは，新商品の発売前後などの期間に限られている。
【０００７】
また，ＰＯＳレジで収集したＰＯＳデータをマーケティングデータとして用いる場合もある。ＰＯＳデータの場合，店舗での販売実績であることから，マーケティングデータとしての信頼性が高く，データの収集も容易である。しかしＰＯＳデータは，ＰＯＳレジでデータを収集するため，「なぜその商品を買ったのか」という購入者の購入動機を収集することはできない。従って，ＰＯＳデータでは購入動機を把握することができない。
【課題を解決するための手段】
【０００８】
そこで本発明者は，簡易な方法で，購入者の商品の購入動機を収集することができるマーケティングデータ収集システムを発明した。
【０００９】
第１の発明は，商品の購入者の購入動機を収集するマーケティングデータ収集システムであって，前記マーケティングデータ収集システムは，前記購入者が利用する入力者端末で表示させる，購入動機を含む質問データを記憶する質問データ記憶部と，前記質問データに対応する回答データを記憶する回答データ記憶部と，前記入力者端末に対して前記質問データ記憶部に記憶した質問データを表示させ，それに対する回答データを前記入力者端末から受け付け，前記回答データ記憶部に記憶させる回答データ収集処理部と，前記回答データ記憶部に記憶した回答データに基づいて，マーケティング分析の処理を実行する分析処理部と，を有するマーケティングデータ収集システムである。
【００１０】
本発明のように構成することで，簡易な方法で，マーケティングデータとして，商品の購入者の購入動機を収集することができる。そのため，従来のＰＯＳシステムにより収集するＰＯＳデータとは異なり，購入者の視点からの分析も可能となる。
【００１１】
上述の発明において，前記マーケティングデータ収集システムは，さらに，前記回答データ記憶部に記憶した回答データのチェック結果の入力を受け付ける回答データチェック処理部，を備えており，前記回答データチェック処理部は，チェックを行うチェック担当者が利用するチェック担当者端末に対して，前記回答データ記憶部に記憶している回答データのうちチェックされていない回答データを抽出して表示させ，前記質問データに対する前記回答データのチェック結果の入力を受け付ける，マーケティングデータ収集システムのように構成することができる。
【００１２】
単に質問に対する回答を受け付けただけではその信頼性が十分ではない場合がある。そこで，質問と回答の整合性がとれているかのチェックを受け付けることで，その信頼性を確保することができる。
【００１３】
上述の発明において，前記回答データ記憶部は，さらに，前記回答データに対応するレシートの画像データを記憶しており，前記回答データ収集処理部は，前記回答データと前記レシートの画像データとを前記入力者端末から受け付け，前記回答データ記憶部に記憶させ，前記回答データチェック処理部は，前記チェック担当者端末に対して，前記回答データに併せて前記レシートの画像データを表示させることで，前記質問データに対する前記回答データの整合性を，前記レシートの画像データを用いて判定させてチェック結果の入力を受け付け，前記チェック結果を前記回答データに対応づけて前記回答データ記憶部に記憶させる，マーケティングデータ収集システムのように構成することができる。
【００１４】
本発明のように，簡易な方法で質問に対する回答が可能である場合，実際に商品を購入していないにもかかわらず，回答をする可能性がある。そのような回答があると，信頼性を下げることに繋がる。そこで，本発明のように，アンケートに対する回答のほか，レシートの画像データを受け付けることで，チェック担当者はレシートに基づいて，回答の整合性を確認することができる。レシートは商品を購入したことを示す証拠であるから，そのチェックを経た回答であれば信頼性を確保することができる。
【００１５】
上述の発明において，前記分析処理部は，前記回答データ記憶部に記憶した回答データのうち，前記チェック結果として承認を示す情報が記憶された回答データを抽出し，その回答データに基づいてマーケティング分析の処理を実行する，マーケティングデータ収集システムのように構成することができる。
【００１６】
回答データのすべてに対してマーケティング分析の処理を実行するのではなく，本発明のように，承認された回答データだけをマーケティング分析の処理の対象とすることで，分析に対する信頼性を高めることが可能となる。
【００１７】
本発明の別の実施態様として，以下のように構成することもできる。すなわち，商品の購入者の購入動機を収集するマーケティングデータ収集システムであって，前記マーケティングデータ収集システムは，前記購入者が利用する入力者端末で表示させる，購入動機を含む質問データを記憶する質問データ記憶部と，前記質問データに対応する回答データとレシートの画像データとを記憶する回答データ記憶部と，前記入力者端末に対して前記質問データ記憶部に記憶した質問データを表示させ，それに対して入力された回答データとレシートの画像データとを前記入力者端末から受け付け，前記回答データ記憶部に記憶させる回答データ収集処理部と，前記回答データ記憶部に記憶した回答データとレシートの画像データとを，チェックを行うチェック担当者が利用するチェック担当者端末に対して表示させ，前記レシートの画像データと前記質問データに対する前記回答データとの整合性のチェック結果の入力を受け付け，前記回答データ記憶部に記憶させる回答データチェック処理部と，前記回答データ記憶部に記憶した回答データのうち，前記チェック結果として承認を示す情報が記憶された回答データを抽出し，その回答データに基づいてマーケティング分析の処理を実行する分析処理部と，を有するマーケティングデータ収集システムである。
【００１８】
また，別の実施態様として，以下のように構成しても良い。すなわち，商品の購入者の購入動機を収集するマーケティングデータ収集システムであって，前記マーケティングデータ収集システムは，前記購入者が利用する入力者端末で表示させる，購入動機を含む質問データを記憶する質問データ記憶部と，前記質問データに対応する回答データとレシートの画像データとを記憶する回答データ記憶部と，前記入力者端末に対して前記質問データ記憶部に記憶した質問データを表示させ，それに対して入力された回答データとレシートの画像データとを前記入力者端末から受け付け，前記回答データ記憶部に記憶させる回答データ収集処理部と，商品名と，レシートにおけるその商品の表示名とを記憶する商品名データ記憶部と，前記回答データ記憶部に記憶した回答データのチェック処理を行う回答データチェック処理部と，前記回答データ記憶部に記憶した回答データのうち，チェック結果として承認を示す情報が記憶された回答データを抽出し，その回答データに基づいてマーケティング分析の処理を実行する分析処理部と，を有しており，前記回答データチェック処理部は，前記回答データ記憶部に記憶したレシートの画像データに対して文字認識処理を行い，認識したテキストデータが，レシートにおける商品の表示名と一致するかを前記商品名データ記憶部に基づいて判定し，一致した表示名についてはその商品名を前記商品名データ記憶部に基づいて判定し，前記回答データ記憶部に記憶した回答データの商品名と，前記判定した商品名とが一致するかを判定することで，前記回答データの整合性のチェック結果を前記回答データ記憶部に記憶させる，マーケティングデータ収集システムである。
【００１９】
本発明ではレシートに基づくチェックを自動的に行うように構成している。これによってチェック担当者がいなくてもチェックを行うことができる。
【００２０】
上述の発明において，前記回答データチェック処理部は，さらに，承認ではないチェック結果を前記回答データ記憶部に記憶している回答データについて，その回答データと対応するレシートの画像データとを前記チェック担当者端末に対して表示させ，前記質問データに対する前記回答データの整合性を，前記レシートの画像データを用いて判定させ，承認または否認のチェック結果の入力を前記チェック担当者端末から受け付け，前記チェック結果を前記回答データに対応づけて前記回答データ記憶部に記憶させる，マーケティングデータ収集システムのように構成することができる。
【００２１】
サイクルが早い商品，季節限定商品，といったように，商品は頻繁に変わることもある。その場合，レシートに基づくチェックをすべて自動的に行っていたのでは，商品名とレシートにおける表示名との対応関係の更新が極めて煩雑となり，その負担も重い。そこで，本発明のように，チェック担当者の処理を併用しても良い。すなわち，自動的にチェックができなかった回答とレシートについて，チェック担当者がチェックを行う。これによって，すべてをチェック担当者が行っていた場合よりもその負担を軽減できる。また，すべてを自動的に行っていた場合の商品名とレシートにおける表示名との対応関係の更新の負担を軽減できる。
【００２２】
上述の発明において，前記回答データチェック処理部は，さらに，前記チェック担当者端末から承認のチェック結果の入力を受け付けた場合，前記レシートの画像データに表示されている商品の表示名と，その商品名とを，前記チェック担当者端末から入力を受け付けて，前記商品名データ記憶部に記憶させる，マーケティングデータ収集システムのように構成することができる。
【００２３】
自動的にチェック処理が行えなかった場合であって，チェック担当者によって承認ができた場合には，商品名とレシートにおける商品の表示名との対応関係が商品名データ記憶部に記憶されていなかった場合と考えられる。そこで，本発明のように構成すれば，チェック担当者端末がその更新を行うので，都度，更新ができ，すべての新商品等について更新を行う負担を軽減できる。
【発明の効果】
【００２４】
本発明のマーケティングデータ収集システムによって，信頼性の高い購入動機のデータを収集することができる。
【図面の簡単な説明】
【００２５】
【図１】本発明のマーケティングデータ収集システムの全体の概要を示す概念図である。
【図２】ハードウェア構成の一例を模式的に示す図である。
【図３】本発明のマーケティングデータ収集システムにおける会員登録処理のプロセスを示すフローチャートである。
【図４】本発明のマーケティングデータ収集システムにおけるアンケートデータ収集処理を示すフローチャートである。
【図５】本発明のマーケティングデータ収集システムにおけるアンケートデータチェック処理を示すフローチャートである。
【図６】本発明のマーケティングデータ収集システムにおけるアンケートデータ分析処理を示すフローチャートである。
【図７】回答データ記憶部の一例を模式的に示す図である。
【図８】会員に対して表示されるトップページの一例を示す図である。
【図９】個人情報の取扱いについての同意を求める画面の一例を示す図である。
【図１０】属性情報の入力画面の一例を示す図である。
【図１１】マイページの一例を示す図である。
【図１２】アンケートに対して回答を行う場合のマイページの一例を示す図である。
【図１３】レシートの画像データを登録する画面の一例を示す図である。
【図１４】チェック担当者に対して表示されるトップページの一例を示す図である。
【図１５】回答データ管理画面の一例を示す図である。
【図１６】チェック画面の一例を示す図である。
【図１７】回答データ記憶部の一例を模式的に示す図である。
【図１８】分析結果を示す画面の一例である。
【図１９】本発明の回答データチェックの処理の別の実施態様を示す図である。
【図２０】商品名データ記憶部の一例を模式的に示す図である。
【図２１】回答データチェックの処理の別の実施態様の処理を示すフローチャートである。
【図２２】回答データチェックの処理の別の実施態様の処理を示すフローチャートである。
【図２３】本発明の回答データチェックの処理の別の実施態様を示す図である。
【発明を実施するための形態】
【００２６】
本発明のマーケティングデータ収集システム１のシステム構成の一例を図１に模式的に示す。マーケティングデータ収集システム１は，サーバなどの一または複数のコンピュータを用いて実現されるコンピュータシステムであって，インターネットなどのネットワークを介して，アンケートに対する回答データの入力を行う入力者端末２と，入力された回答データのチェックを行うチェック担当者端末３と，データの送受信が可能である。
【００２７】
入力者端末２とは，アンケートに対する回答データの入力を行う者が利用するコンピュータである。またチェック担当者端末３とは，入力者端末２から入力を受け付けた回答データをチェックする者が利用するコンピュータである。入力者端末２やチェック担当者端末３には，パーソナルコンピュータなどのほか，携帯電話，ＰＨＳ，タブレット型のコンピュータなどが含まれる。
【００２８】
マーケティングデータ収集システム１を実現するコンピュータのハードウェア構成の一例を図２に模式的に示す。マーケティングデータ収集システム１は，プログラムの演算処理を実行するＣＰＵなどの演算装置７０と，データを記憶するＲＡＭやＲＯＭ，ＨＤＤやＳＳＤなどの記憶装置７１と，演算装置７０の処理結果や記憶装置７１に記憶するデータをインターネットなどのネットワークを介して送受信する通信装置７４と，ボタンやタッチパネルなどの入力装置７３，液晶ディスプレイ，有機ＥＬなどの表示装置７２とを有している。マーケティングデータ収集システム１で実現する各機能（各手段）は，その処理を実行する手段（プログラムやモジュールなど）が演算装置７０に読み込まれることでその処理が実行される。各機能は，記憶装置７１に記憶したデータをその処理において使用する場合には，該当するデータを当該記憶装置７１から読み出し，読み出したデータを適宜，演算装置７０における処理に用いる。またマーケティングデータ収集システム１を実現するコンピュータは，一台で実現されていても良いし，複数のコンピュータに分散されていても良い。
【００２９】
本発明における各手段は，その機能が論理的に区別されているのみであって，物理上あるいは事実上は同一の領域を為していても良い。
【００３０】
マーケティングデータ収集システム１は，会員処理部１０と会員データ記憶部１１と質問データ記憶部１２と回答データ収集処理部１３と回答データ記憶部１４と回答データチェック処理部１５と分析処理部１６とを有する。
【００３１】
会員処理部１０は，本発明のマーケティングデータ収集システム１で，アンケートに対する回答データの入力を，あらかじめ登録した会員のみが行えるとする場合の会員登録処理を行う。会員登録処理としては，入力者端末２から所定の属性情報の入力を受け付け，それを後述する会員データ記憶部１１に記憶させる。入力を受け付ける属性情報としては，たとえば氏名，生年月日，性別，電子メールアドレス，ログイン時に用いるパスワード，郵便番号，都道府県，電話番号，既婚・未婚，子供の有無，職種，業種などがある。属性情報の入力を受け付けることで，会員となる者に対してログイン時に用いる会員ＩＤを付与する。付与した会員ＩＤも，入力を受け付けた属性情報に対応づけて会員データ記憶部１１に記憶させる。なお会員ＩＤを付与するのではなく，入力を受け付けても良い。
【００３２】
会員データ記憶部１１は，会員処理部１０で付与した会員ＩＤに対応づけて，会員処理部１０で受け付けた属性情報を記憶している。また会員データ記憶部１１には，会員ＩＤに対して付与されたポイントのデータを記憶していても良い。
【００３３】
なお，アンケートに対する回答の入力を会員のみが行えるとしない場合には，会員処理部１０および会員データ記憶部１１は不要である。なお，以下の説明では入力を行うのが会員が行う場合を説明するが，ポイントの付与に関する処理を除き，会員に限定しない場合でも同様に処理を実現できる。
【００３４】
質問データ記憶部１２は，会員に対して行うアンケートの質問データ（質問内容とその回答となる選択肢）とを記憶する。質問データは，それらを識別可能なようにアンケートＮｏ．によって区別されており，質問データ記憶部１２ではアンケートＮｏ．と質問データとを対応づけて記憶する。なお，アンケートを特定の対象に限定して行う場合には，質問データに対応づけて，さらに，対象とする属性を記憶させる。この場合，当該属性に該当する会員に対してのみ，アンケートが提示されることとなる。
【００３５】
たとえば３０歳代男性のみにアンケートを行いたい場合，アンケートの属性として３０歳代，男性を記憶させておけば，後述する会員のマイページでの表示の際に，回答データ収集処理部１３が会員データ記憶部１１を参照した結果，当該会員が３０歳代（年齢は生年月日から判定可能である），男性であれば，当該アンケートが抽出されてマイページで表示される。一方，２０歳代女性であれば，当該アンケートはマイページに表示されない。
【００３６】
また質問データは，所定の方法で，随時，更新されて記憶される。
【００３７】
回答データ収集処理部１３は，質問データ記憶部１２に記憶する質問データを抽出し，入力者端末２で表示させる。そして，それに対する回答データの入力を入力者端末２から受け付ける。また，そのアンケートの根拠となったレシートの画像データの入力を受け付ける。入力を受け付けたアンケートの回答データおよびレシートの画像データは，対応づけて回答データ記憶部１４に記憶させる。なお，レシートの画像データの形式としては，さまざまな形式があり，ｂｍｐ形式，ｇｉｆ形式，ｊｐｅｇ形式，ｐｎｇ形式，ｔｉｆｆ形式，ＰｏｓｔＳｃｒｉｐｔ形式などのほか，ＰＤＦ形式なども含まれる。
【００３８】
回答データ記憶部１４は，回答データ収集処理部１３で入力者端末２から受け付けた，アンケートに対する回答データおよびレシートの画像データを記憶する。またアンケートに対する回答データについて，チェック担当者が承認をしたか否認をしたかのフラグを対応づけて記憶している。また，これらのデータは，アンケートの回答をした会員のＩＤに対応づけられている。これによって，どの会員がアンケートに対してどのような回答をしたのか，それが承認されたのか，否認されたのかを管理できる。図７に回答データ記憶部１４の一例を模式的に示す。
【００３９】
なおアンケートが複数，同時並行的に行われている場合，そのアンケートの種類ごと（アンケートＮｏ．ごと）に，回答データおよびレシートの画像データを記憶していることが好ましい。
【００４０】
回答データチェック処理部１５は，チェック担当者端末３からの要求に応じ，回答データ記憶部１４に記憶している回答データのうち，承認または否認のフラグが付されていない回答データ（チェックされていない回答データ）を抽出し，回答データに対するチェックの処理を受け付ける。また，チェックが終了した回答データについては，チェック担当者端末３から，当該回答データに対して承認するかまたは否認するかの入力を受け付ける。チェック担当者による承認または否認は，アンケートの質問に対する回答が適切であるかを，レシートの画像データを参照して，チェック担当者が正しいと思えば承認の入力をチェック担当者端末３で行い，誤りがあると思えば否認の入力をチェック担当者端末３で行う。
【００４１】
承認が付された回答データについては，対応する会員ＩＤに基づいて，当該会員ＩＤを有する会員に対して所定のポイントを付与する。すなわち，当該会員ＩＤに基づいて，会員データ記憶部１１を検索し，当該会員ＩＤの対応するポイントに，所定のポイントを加算して更新する。
【００４２】
分析処理部１６は，分析対象とするアンケートの選択を受け付け，対応する回答データのうち，承認された回答データを抽出し，公知のデータ分析手法によりデータ分析処理を実行する。この分析処理としてはさまざまな手法を用いることができる。分析した結果は，マーケティングデータ収集システム１の表示装置７２や分析を行う操作した操作者のコンピュータの表示装置で表示を行うほか，紙媒体で出力してもよい。またインターネット上で閲覧可能なように，たとえばウェブサイトでの表示を行えるようにしても良い。
【００４３】
つぎに本発明のマーケティングデータ収集システム１の処理プロセスの一例を図３乃至図６のフローチャートを用いて説明する。
【００４４】
まず会員になるための会員登録処理を図３のフローチャートを用いて説明する。
【００４５】
本発明のマーケティングデータ収集システム１が会員制を採っている場合に，会員になろうとする者は，入力者端末２で所定の操作を行うことで，図８に示すトップページのウェブサイトにアクセスをする。
【００４６】
図８のトップページにおいて「初めての方はこちら」が入力者端末２で選択されることで，会員処理部１０でその選択を受け付けると，会員処理部１０は，図９に示す個人情報の取扱いについての同意を示す画面を入力者端末２に表示させる。「同意して登録する」が入力者端末２で選択されることで，会員処理部１０はその選択を受け付ける。そうすると会員処理部１０は，図１０に示す属性情報の入力画面を入力者端末２に表示させる。入力者端末２においてそれぞれの属性の入力が行われ，それを会員処理部１０で受け付ける（Ｓ１００）。そして会員処理部１０は，会員を識別するための情報である会員ＩＤを付与し，会員ＩＤに対応づけて，受け付けた属性データを会員データ記憶部１１に記憶させる（Ｓ１１０）。この初期設定の際には，当該会員ＩＤに対応づけられたポイントは０として記憶しても良いし，会員登録によるボーナスポイントを加算して記憶しても良い。
【００４７】
登録終了後，会員処理部１０は，Ｓ１００で入力を受け付けた電子メールアドレス（ｅ−ｍａｉｌ）に対して，登録が完了したことの電子メールを送る。
【００４８】
以上のような処理を実行することで会員登録処理が行える。
【００４９】
つぎに会員がアンケートに対して回答を行う場合の回答データ収集処理を図４のフローチャートを用いて説明する。
【００５０】
アンケートに対して回答を行おうとする会員は，入力者端末２で所定の操作を行うことで，図８に示すトップページのウェブサイトにアクセスをする。そしてトップページでＩＤとパスワードを入力することで，会員処理部１０は，入力者端末２からＩＤとパスワードを受け付け，会員データ記憶部１１に記憶するＩＤとパスワードと照合し，ログイン処理を行う（Ｓ２００）。
【００５１】
正常にログインが行われると，図１１に示すマイページを回答データ収集処理部１３が入力者端末２で表示させる。マイページは会員ごとのページであり，会員データ記憶部１１に記憶する当該会員が蓄積したポイントのほか，現在行われているアンケートが選択可能に表示される。ここで表示されるアンケートは，回答データ収集処理部１３が，マイページを表示する際に，当該会員の属性を会員データ記憶部１１から抽出し，当該属性に該当するアンケートを質問データ記憶部１２から抽出する。なお，新着のアンケート，回答期限が近づいているアンケート，ランダムに選択したアンケート，必要回答数に達していないアンケートなどが抽出されても良い。
【００５２】
会員がアンケートを選択する場合には，「回答する」を選択することで，入力者端末２から回答データ収集処理部１３に対して，回答するアンケートの選択が行われる。この際に，選択されたアンケートのアンケートＮｏ．がともに送られると良い。回答データ収集処理部１３では，それを受け付けると（Ｓ２１０），選択されたアンケートの質問データを質問データ記憶部１２から抽出し，回答データ収集処理部１３は，それをマイページに表示させる。これを示すのが，図１２である。
【００５３】
会員は，各質問に対する回答を入力者端末２で入力する。そしてすべての質問に回答すると，たとえば「送信」ボタンを押下することで，アンケートの回答データが，会員ＩＤ，アンケートＮｏ．とともに，入力者端末２から回答データ収集処理部１３に送られ，それらを回答データ収集処理部１３で受け付ける（Ｓ２２０）。回答データ収集処理部１３は，受け付けた回答データを，回答データ記憶部１４に記憶させる。
【００５４】
また，回答データ収集処理部１３は，図１３に示すように，当該アンケートの回答の根拠となったレシートの画像データの入力を促す画面を入力者端末２で表示させ，入力者端末２から，レシートの画像データを受け付ける。たとえば「登録」ボタンを押下することで，入力者端末２におけるレシートの画像データの保存先を選択する画面が表示され，そこからレシートの画像データを選択することで，選択されたレシートの画像データが，会員ＩＤ，アンケートＮｏ．とともに，入力者端末２からアンケートデータ収集部に送られる。アンケートデータ収集部で受け付けたレシートの画像データは（Ｓ２３０），Ｓ２２０で受け付けたアンケートの回答データに対応づけて，回答データ記憶部１４に記憶させる（Ｓ２４０）。このようにして，アンケートに対する回答データが記憶された状態が図７である。なお，アンケートが複数ある場合には，図７の回答データが，アンケートごと（アンケートＮｏ．ごと）に，回答データ記憶部１４に記憶されている。
【００５５】
つぎに，アンケートの回答データに対するチェック処理を図５のフローチャートを用いて説明する。
【００５６】
アンケートの回答データに対するチェック処理とは，会員が入力者端末２から入力した回答データが，レシートに一致しているか，を確認する作業である。
【００５７】
アンケートの回答データに対するチェック処理を行おうとするチェック担当者は，チェック担当者端末３で所定の操作を行うことで，図１４に示すチェック処理用のトップページのウェブサイトにアクセスをする。そしてトップページでＩＤとパスワードを入力することで，ログイン処理を行う（Ｓ３００）。なお，ＩＤとパスワードは，当該チェック担当者も会員として扱い，会員データ記憶部１１を参照して行っても良い。
【００５８】
そして，チェック担当者のログイン後，回答データチェック処理部１５は，回答データ記憶部１４に記憶する回答データのうち，承認，否認のいずれのフラグも存在しない回答データを所定数だけ抽出し（Ｓ３１０），それが表示された図１５に示す回答データ管理画面をチェック担当者端末３に表示させる。
【００５９】
チェック担当者は，チェック担当者端末３に表示された回答データ管理画面から，チェックを行う回答データを選択する。それによって選択された回答データの表示要求がチェック担当者端末３から回答データチェック処理部１５に送られ，回答データチェック処理部１５は，対応する回答データとレシートの画像データとを回答データ記憶部１４から抽出し（この際に，質問データも質問データ記憶部１２から抽出しても良い），図１６に示すチェック画面としてチェック担当者端末３で表示させる。そしてチェック担当者は，アンケートの回答データとレシートの画像データとを確認しながら，正しく回答されているかを確認する（Ｓ３２０）。
【００６０】
実際に商品を購入していないにもかかわらず，アンケートにでたらめな回答をするだけでポイント等を得ようとする会員の防止のため，実際に商品を購入したことを証明するレシートの画像の入力を受け付けることで，そのようなことを防止できる。
【００６１】
チェック担当者は，正しく回答されていると判断した場合には（Ｓ３３０），チェック画面において「承認」を選択し，正しくない回答と判断した場合には（Ｓ３３０），チェック画面において「否認」を選択する。選択された承認または否認は，チェック担当者端末３から送られ，回答データチェック処理部１５で受け付ける（Ｓ３４０，Ｓ３５０）。受け付けた承認または否認については，回答データ記憶部１４における，当該回答データに対応するフラグとして記憶する（Ｓ３６０）。たとえば回答データ記憶部１４が図７であって，会員ＩＤ「１１１１１」の回答データがチェックされた場合，それが承認されると，図１７のように記憶される。
【００６２】
承認または否認が選択されるとチェック画面の表示は終了し，チェック担当者は，回答データ管理画面から，次にチェックする回答データを選択する（Ｓ３７０）。これによって，上記と同様の処理が実行される。
【００６３】
以上のように，回答データ管理画面に表示されている回答データをすべてチェックすると，まだチェックを続ける場合には，「続ける」を選択することでＳ３１０以降の処理を再度反復する。
【００６４】
一方，終了する場合には，「終了」を選択することで，チェック処理を終了する。
【００６５】
なお，上述のＳ３６０で承認が行われた回答データについては，その回答を行った会員に対して，あらかじめ定められたポイントを付与する（Ｓ３８０）。たとえば一つのアンケートに回答するたびに３０ポイントが付与される場合，当該アンケートに回答した会員ＩＤのポイントに３０ポイントを加算して会員データ記憶部１１を更新する。付与されるポイントはアンケートごとに異なっても良い。
【００６６】
つぎに，チェックされたアンケートの回答データを用いた分析処理を図６のフローチャートを用いて説明する。
【００６７】
回答データを用いてマーケティングデータの分析を行う場合には，まず処理対象とするアンケートの選択を分析処理部１６で受け付ける（Ｓ４００）。たとえば，「シャンプー」などの選択を受け付ける。これによって，分析処理部１６は，その分析対象として選択されたアンケート「シャンプー」のアンケートＮｏ．に対応する回答データであって，フラグとして「承認」が記憶されている回答データを抽出し（Ｓ４１０），所定のマーケティングデータの分析処理プログラムによって，分析処理を実行する（Ｓ４２０）。
【００６８】
分析処理はさまざまな公知の手法，プログラムを用いることができる。このようにして分析した処理結果は，マーケティングデータ収集システム１の表示装置７２や分析を行う操作した操作者のコンピュータの表示装置で表示を行う。また，プリンタなどで紙媒体で出力しても良いし，インターネット上で閲覧可能なように，たとえばウェブサイトでの表示を行えるようにしても良い。処理結果の表示の一例を図１８に示す。図１８では，商品のランキング情報のほか，商品に対する購入動機が表示される。
【００６９】
本発明のように，会員から回答データを受け付けることで，購入した商品の購入動機を把握することができるとともに，購入したことがレシートによって裏付けられているため，その商品を確実に買った会員であることが裏付けられている。そのため，データの信頼性も高くなる。
【００７０】
上述の説明では，回答データチェック処理部１５は，チェック担当者がチェック担当者端末３で行っていたが，これを自動的に行っても良い。この処理を模式的に示すのが図１９である。
【００７１】
この場合，店舗においてレシートに表示される商品名は固定なので，店舗ごとの，商品名と，レシートでのその商品の表示名とを対応させた商品名データ記憶部を備えておく。商品名データ記憶部の一例を図２０に示す。また，この場合の処理の一例を図２１のフローチャートに示す。
【００７２】
まず，回答データチェック処理部１５が，回答データ記憶部１４に記憶したレシートの画像データに対してＯＣＲ認識処理（文字認識処理）を行い，レシートの画像データから，そこに表示されているテキストデータを認識する（Ｓ５００）。
【００７３】
認識したテキストデータに基づいて，そのレシートの店舗名を前記商品名データ記憶部における店舗名と照合することで特定する（Ｓ５１０）。そして，店舗名が商品名データ記憶部に記憶されていない場合には（Ｓ５２０），自動的に認識が行えないので，そのまま処理を終了する。一方，店舗名が商品名データ記憶部に記憶されている場合には（Ｓ５２０），特定した店舗名におけるレシートでの商品の表示名と，認識したテキストデータとを照合し，一致する表示名があるかを判定する（Ｓ５３０）。
【００７４】
一致する表示名がない場合には（Ｓ５４０），自動的に認識が行えないので，そのまま処理を終了する。一方，認識したテキストデータに一致する表示名がある場合には（Ｓ５４０），商品名データ記憶部に基づいて，対応する商品名を特定する（Ｓ５５０）。そして，回答データ（この場合の回答データとしては，図７に示すように単に選択肢が表示されるのではなく，選択肢に表示される商品名などが記憶されていると良い）における商品名と，特定した商品名とを比較し（Ｓ５６０），一致するかの判定結果を，回答データに対応づけて，回答データ記憶部１４に記憶させる（Ｓ５７０）。たとえば，一致する場合には，正確に回答が行われているとして「承認」と判定し，一致しない場合には，正確に回答が行われていないとして「否認」と判定して記憶させる。
【００７５】
そして上述のＳ５８０で承認が行われた回答データについては，その回答を行った会員に対して，あらかじめ定められたポイントを付与する（Ｓ５８０）。
【００７６】
また，上記のほかにも，商品によっては商品サイクルが早いものもある。そのような場合に商品名データ記憶部を構築するのは容易ではない。そこで，上述の自動的なチェック処理とチェック担当者によるチェック処理とを併存させても良い。この場合の処理の一例を図２２のフローチャートに示す。また，図２３にこの処理を模式的に示す。
【００７７】
まず，回答データチェック処理部１５が，回答データ記憶部１４に記憶したレシートの画像データに対してＯＣＲ認識処理（文字認識処理）を行い，レシートの画像データから，そこに表示されているテキストデータを認識する（Ｓ６００）。
【００７８】
認識したテキストデータに基づいて，そのレシートの店舗名を前記商品名データ記憶部における店舗名と照合することで特定する（Ｓ６１０）。そして，店舗名が商品名データ記憶部に記憶されていない場合には（Ｓ６２０），自動的に認識が行えないので，その回答データに対応づけて「再チェック」を回答データ記憶部１４に記憶させる（Ｓ６３０）。
【００７９】
一方，店舗名が商品名データ記憶部に記憶されている場合には（Ｓ６２０），特定した店舗名におけるレシートでの商品の表示名と，認識したテキストデータとを照合し，一致する表示名があるかを判定する（Ｓ６４０）。
【００８０】
一致する表示名がない場合には（Ｓ６５０），自動的に認識が行えないので，その回答データに対応づけて「再チェック」を回答データ記憶部１４に記憶させる（Ｓ６３０）。
【００８１】
一方，認識したテキストデータに一致する表示名がある場合には（Ｓ６５０），商品名データ記憶部に基づいて，対応する商品名を特定する（Ｓ６６０）。そして，回答データ（この場合の回答データとしては，図７に示すように単に選択肢が表示されるのではなく，選択肢に表示される商品名などが記憶されていると良い）における商品名と，特定した商品名とを比較し（Ｓ６７０），一致するかの判定結果を，回答データに対応づけて，回答データ記憶部１４に記憶させる（Ｓ６８０）。たとえば，一致する場合には，正確に回答が行われているとして「承認」と判定し，一致しない場合には，正確に回答が行われていないとして「否認」と判定して記憶させる。
【００８２】
上述のＳ６８０で承認が行われた回答データについては，その回答を行った会員に対して，あらかじめ定められたポイントを付与する（Ｓ６９０）。
【００８３】
そして，上述のＳ６３０において「再チェック」が回答データ記憶部１４に記憶された回答データについては，チェック担当者に対して回答データチェック処理部１５が回答データ記憶部１４から回答データを抽出するときに，「再チェック」が付された回答データを抽出し，図５の回答データチェック処理と同様に，チェック担当者にチェックさせる。この結果，チェック担当者が，回答データと対応するレシートの画像データとを比較し，正しく回答されていると判断した場合には，チェック画面において「承認」を選択し，正しくない回答と判断した場合には，チェック画面において「否認」を選択する。選択された承認または否認は，チェック担当者端末３から送られ，回答データチェック処理部１５で受け付ける。
【００８４】
「承認」が選択された場合，自動的に判定ができなかったのは，店舗名に対応づけられた，レシートに表示される表示名と，商品名データ記憶部に記憶する商品名とが一致しないからであると考えられる。そこで，チェック担当者端末３から，レシートに表示される表示名と，商品名と，店舗名との入力を回答データチェック処理部１５で受け付け，それを商品名データ記憶部（図２０）に記憶させる。これによって，新商品が発売された場合であっても，新商品名が自動的にレシートの表示名に対応づけられて更新される。またチェック担当者の負担も軽減することができる。
【００８５】
たとえば商品名データ記憶部が図２０の場合であって，レシートの画像データが図２３であるとする。そしてシャンプーの新商品「αβγ」に対する質問データであったとすると，レシートの画像データから認識したテキストデータに「シャンプーαβγ」が含まれていたとしても，商品名データ記憶部には，レシートにおける商品名が記載されていないことから，自動的な認識を行えず，すなわちＳ６５０において「Ｎｏ」となり，回答データに対応づけて再チェックが記憶される（Ｓ６３０）。そこで，図５の処理を実行することで，チェック担当者によって回答データが承認されることとなるが，承認のチェック結果のほかに，チェック担当者端末３から店舗名「スーパーＡ」，商品名「αβγ」，レシートでの表示名「シャンプーαβγ」の入力を受け付ける。これを回答データチェック処理部１５が商品名データ記憶部に記憶させることで，次回から同様のレシートの画像データを受け付けたとしても，自動的に処理することが可能となる。
【産業上の利用可能性】
【００８６】
上述した本発明のマーケティングデータ収集システム１によって，信頼性の高い購入動機のデータを収集することができる。
【符号の説明】
【００８７】
１：マーケティングデータ収集システム
２：入力者端末
３：チェック担当者端末
１０：会員処理部
１１：会員データ記憶部
１２：質問データ記憶部
１３：回答データ収集処理部
１４：回答データ記憶部
１５：回答データチェック処理部
１６：分析処理部
７０：演算装置
７１：記憶装置
７２：表示装置
７３：入力装置
７４：通信装置
【図１】
2014049058.tif 000003
【図２】
2014049058.tif 000004
【図３】
2014049058.tif 000005
【図４】
2014049058.tif 000006
【図５】
2014049058.tif 000007
【図６】
2014049058.tif 000008
【図７】
2014049058.tif 000009
【図８】
2014049058.tif 000010
【図９】
2014049058.tif 000011
【図１０】
2014049058.tif 000012
【図１１】
2014049058.tif 000013
【図１２】
2014049058.tif 000014
【図１３】
2014049058.tif 000015
【図１４】
2014049058.tif 000016
【図１５】
2014049058.tif 000017
【図１６】
2014049058.tif 000018
【図１７】
2014049058.tif 000019
【図１８】
2014049058.tif 000020
【図１９】
2014049058.tif 000021
【図２０】
2014049058.tif 000022
【図２１】
2014049058.tif 000023
【図２２】
2014049058.tif 000024
【図２３】
2014049058.tif 000025